(57)【特許請求の範囲】
【請求項１】
国際移動加入者識別番号を利用してユーザー設備をページングすることを確定することと、
ページングを行う前に、前記ユーザー設備のトラッキングエリア識別子リストが格納されていないと判断した場合、ローカルに接続された基地局によるサービスのトラッキングエリアにおいて、前記ユーザー設備をページングすることと、
を含むことを特徴とするページング方法。
【請求項２】
ローカルに接続された基地局によるサービスのトラッキングエリアにおいて、前記ユーザー設備をページングすることは、
ローカルに接続された各基地局へ送信しようとするページングメッセージの中に、基地局に対してその自体によるサービスのトラッキングエリアにおけるページングを行うことを指示するためのパラメータを挿入することと、
前記パラメータを挿入したページングメッセージを、ローカルに接続された各基地局へ送信することと、
を含むことを特徴とする請求項１に記載のページング方法。
【請求項３】
前記ページングメッセージのトラッキングエリア識別子リストのフィールドの中に、前記パラメータを挿入することを特徴とする請求項２に記載のページング方法。
【請求項４】
前記ページングメッセージの新規追加フィールドの中に、前記パラメータを挿入することを特徴とする請求項２に記載のページング方法。
【請求項５】
ローカルに接続された基地局によるサービスのトラッキングエリアにおいて、前記ユーザー設備をページングすることは、
ローカルに接続された基地局によるサービスのトラッキングエリアに対応するトラッキングエリア識別子を、それぞれ確定することと、
ローカルに接続された各基地局へ送信しようとするページングメッセージの中に、確定された、且つ対応基地局によるサービスのトラッキングエリアに対応するトラッキングエリア識別子を挿入することと、
トラッキングエリア識別子を挿入した前記ページングメッセージを、対応基地局へ送信することと、
を含むことを特徴とする請求項１に記載のページング方法。
【請求項６】
前記ページングメッセージのトラッキングエリア識別子リストのフィールドの中に、トラッキングエリア識別子を挿入することを特徴とする請求項５に記載のページング方法。
【請求項７】
国際移動加入者識別番号を利用して、ユーザー設備をページングするかどうかを確定するための確定ユニットと、
確定ユニットにより国際移動加入者識別番号を利用して前記ユーザー設備をページングすることを確定した後、且つページングを行う前に、前記ユーザー設備のトラッキングエリア識別子リストが格納されているかどうかを判断するための判断ユニットと、
判断ユニットによる判断結果が否定である場合、ローカルに接続された基地局によるサービスのトラッキングエリアにおいて、前記ユーザをページングするためのページングユニットと、
を備えることを特徴とするページング装置。
【請求項８】
前記ページングユニットは、
ローカルに接続された各基地局へ送信しようとするページングメッセージの中に、基地局に対してその自体によるサービスのトラッキングエリアにおけるページングを行うことを指示するパラメータを挿入するための第１挿入サブユニットと、
第１挿入サブユニットにより前記パラメータを挿入したページングメッセージを、接続された各基地局へ送信するための第１送信サブユニットと、
を備えることを特徴とする請求項7に記載のページング装置。
【請求項９】
前記ページングユニットは、
ローカルに接続された基地局によるサービスのトラッキングエリアに対応するトラッキングエリア識別子を、それぞれ確定するための確定サブユニットと、
ローカルに接続された各基地局へ送信しようとするページングメッセージの中に、確定サブユニットにより確定された、且つ対応基地局によるサービスのトラッキングエリアに対応するトラッキングエリア識別子を、挿入するための第２挿入サブユニットと、
第２挿入サブユニットによりトラッキングエリア識別子を挿入した前記ページングメッセージを、対応基地局へ送信するための第２送信サブユニットと、
を備えることを特徴とする請求項７に記載のページング装置。
【請求項１０】
ユーザー設備に割り当てた新しいトラッキングエリア識別子リストを、前記ユーザー設備に下り送信することと、
ネットワークエラーを検出した後、国際移動加入者識別番号を利用して、前記ユーザー設備の既存のトラッキングエリア識別子リストと前記ユーザー設備に割り当てた新しいトラッキングエリア識別子リストに含まれたトラッキングエリア識別子に対応するトラッキングエリアにおいて、前記ユーザー設備をページングすることと、
を含むことを特徴とするページング方法。
【請求項１１】
前記ユーザー設備の既存のトラッキングエリア識別子リストと前記ユーザー設備に割り当てた新しいトラッキングエリア識別子リストに含まれたトラッキングエリア識別子に対応するトラッキングエリアにおいて、前記ユーザー設備をページングすることは、
前記ユーザー設備の既存のトラッキングエリア識別子リストと前記ユーザー設備に割り当てた新しいトラッキングエリア識別子リストに含まれたトラッキングエリア識別子に対応するトラッキングエリアの中で、対応基地局によるサービスのトラッキングエリアに対応するトラッキングエリア識別子を確定することと、
各対応基地局へ送信しようとするページングメッセージの中に、前記ユーザー設備の既存のトラッキングエリア識別子リストと前記ユーザー設備に割り当てた新しいトラッキングエリア識別子リストに含まれたトラッキングエリア識別子に対応するトラッキングエリアにおいて、当該基地局によるサービスのトラッキングエリアに対応するトラッキングエリア識別子を挿入することと、
トラッキングエリア識別子を挿入した前記ページングメッセージを、対応基地局へ送信することと、
を含むことを特徴とする請求項１０に記載のページング方法。
【請求項１２】
ユーザー設備に割り当てた新しいトラッキングエリア識別子リストを、前記ユーザー設備に下り送信するための送信ユニットと、
ネットワークエラーが発生したかどうかを検出するための検出ユニットと、
検出ユニットによりネットワークエラーを検出した後、国際移動加入者識別番号を利用して、前記ユーザー設備の既存のトラッキングエリア識別子リストと前記ユーザー設備に割り当てた新しいトラッキングエリア識別子リストに含まれたトラッキングエリア識別子に対応するトラッキングエリアにおいて、前記ユーザー設備をページングするためのページングユニットと、
を備えることを特徴とするページング装置。
【請求項１３】
前記ページングユニットは、
前記ユーザー設備の既存のトラッキングエリア識別子リストと前記ユーザー設備に割り当てた新しいトラッキングエリア識別子リストに含まれたトラッキングエリア識別子に対応するトラッキングエリアの中で、対応基地局によるサービスのトラッキングエリアに対応するトラッキングエリア識別子を確定するための確定サブユニットと、
各対応基地局へ送信しようとするページングメッセージの中に、確定サブユニットにより確定された、且つ前記ユーザー設備の既存のトラッキングエリア識別子リストと前記ユーザー設備に割り当てた新しいトラッキングエリア識別子リストに含まれたトラッキングエリア識別子に対応するトラッキングエリアにおいて、当該基地局によるサービスのトラッキングエリアに対応するトラッキングエリア識別子を挿入するための挿入サブユニットと、
挿入サブユニットによりトラッキングエリア識別子を挿入した前記ページングメッセージを、対応基地局へ送信するための送信サブユニットと、
を備えることを特徴とする請求項１２に記載のページング装置。
【発明の詳細な説明】
【技術分野】
【０００１】
本発明は移動通信技術領域に関し、特にページング方法及び装置に関する。
【０００２】
本出願は、２００９年０１月０９日に中国特許局へ提出した、出願番号が２００９１００７６５８２．０で、且つ発明名称が「ページング方法及び装置」である中国特許出願の優先権を要求し、その全ての内容は参照することにより本出願に組み込まれている。
【背景技術】
【０００３】
３ＧＰＰ  ＴＳ２４．３０１標準仕様において、ユーザー設備（ＵＥ、Ｕｓｅｒ  Ｅｑｕｉｐｍｅｎｔの略称）を管理する移動管理装置（ＭＭＥ、Ｍｏｂｉｌｉｔｙ Ｍａｎａｇｅｍｅｎｔ Ｅｎｔｉｔｙの略称）は、ＵＥに割り当てた新しいトラッキングエリア識別子リスト（ＮＥＷ ＴＡＩ  Ｌｉｓｔ、ＮＥＷ Ｔｒａｃｋｉｎｇ  Ａｒｅａ  Ｉｄｅｎｔｉｔｙ Ｌｉｓｔの略称）と当該ＵＥのグローバル一意臨時識別子（ＧＵＴＩ、Ｇｌｏｂａｌｌｙ Ｕｎｉｑｕｅ Ｔｅｍｐｏｒａｒｙ  Ｉｄｅｎｔｉｔｙの略称）を、ＧＵＴＩ再割り当てコマンド（ＧＵＴＩ Ｒｅａｌｌｏｃａｔｉｏｎ Ｃｏｍｍａｎｄ）メッセージにカプセルし、当該ＵＥに下り送信することができるが、ＭＭＥが当該ＵＥにより返答されたＧＵＴＩ再割り当て完了（ＧＵＴＩ Ｒｅａｌｌｏｃａｔｉｏｎ Ｃｏｍｐｌｅｔｅ）メッセージを受信する前に下位レイヤ失敗（Ｌｏｗｅｒ  Ｌａｙｅｒ  Ｆａｉｌｕｒｅ）を検出した場合、ＵＥとネットワーク側の間のノン・アクセス・ストラタム（ＮＡＳ、Ｎｏｎ  Ａｃｃｅｓｓ  Ｓｔｒａｔｕｍの略称）シグナリング接続を確立するため、ＭＭＥは当該ＵＥの国際移動加入者識別番号（ＩＭＳＩ、Ｉｎｔｅｒｎａｔｉｏｎａｌ  Ｍｏｂｉｌｅ  Ｓｕｂｓｃｒｉｂｅｒ  Ｉｄｅｎｔｉｔｙ）を利用して、当該ＵＥをページングすることができる。
【０００４】
また、トラッキングエリア更新（ＴＡＵ、Ｔｒａｃｋｉｎｇ  Ａｒｅａ  Ｕｐｄａｔｅ）過程において、ＭＭＥは、ＵＥに割り当てたＮＥＷ ＴＡＩ  Ｌｉｓｔと当該ＵＥのＧＵＴＩを、トラッキングエリア更新受け入れ（ＴＡＵ Ａｃｃｅｐｔ、Ｔｒａｃｋｉｎｇ  Ａｒｅａ  Ｕｐｄａｔｅ Ａｃｃｅｐｔの略称）メッセージの中にカプセルし、当該ＵＥに下り送信することができる。ＭＭＥがＵＥにより返答されたＴＡＵ完了（ＴＡＵ Ｃｏｍｐｌｅｔｅ）メッセージを受信する前に、Ｌｏｗｅｒ  Ｌａｙｅｒ  Ｆａｉｌｕｒｅを検出した場合、ＭＭＥは、当該ＵＥのＯＬＤ ＧＵＴＩ又はＮＥＷ ＧＵＴＩを利用して当該ＵＥをページングし、ＯＬＤ ＧＵＴＩとＮＥＷ ＧＵＴＩによるページングを行った結果が全てページング失敗である場合、ＭＭＥは当該ＵＥのＩＭＳＩを利用して当該ＵＥをページングし、当該ＵＥがＭＭＥからのページングを受信した後、再度ネットワークに接続されることができる。
【発明の概要】
【発明が解決しようとする課題】
【０００５】
ＭＭＥには、ＵＥのＴＡＩ  ＬＩＳＴを含むＵＥの移動性管理コンテキストを格納している。ＭＭＥがＵＥをページングする際、移動性管理コンテキスト中のＴＡＩ  ＬＩＳＴにより、ＵＥにより登録されたトラッキングエリア（ＴＡ、Ｔｒａｃｋｉｎｇ  Ａｒｅａの略称）を確定し、そして、確定された且つ当該ＵＥにより登録されたＴＡの中に、ページング（Ｐａｇｉｎｇ）メッセージを送信し、前記ＧＵＴＩ再割り当て（ＧＵＴＩ Ｒｅａｌｌｏｃａｔｉｏｎ）過程とＴＡＵ過程において、ＭＭＥがＵＥにＮＥＷ ＴＡＩ  Ｌｉｓｔを割り当てない場合、ＭＭＥに格納された当該ＵＥの既存のＴＡＩ  Ｌｉｓｔが有効になり、即ち、ＯＬＤ ＴＡＩ  Ｌｉｓｔが有効になり、ＭＭＥはＵＥのＩＭＳＩを利用して当該ＵＥをページングする場合、ＯＬＤ ＴＡＩ  Ｌｉｓｔに含まれたトラッキングエリア識別子（ＴＡＩ，Ｔｒａｃｋｉｎｇ  Ａｒｅａ  Ｉｄｅｎｔｉｔｙ）に対応するＴＡにおいて、ページングを行う。ＭＭＥは、ＵＥにＮＥＷ ＴＡＩ  Ｌｉｓｔを割り当てたが、Ｌｏｗｅｒ  Ｌａｙｅｒ  Ｆａｉｌｕｒｅを検出した後、ＮＥＷ ＴＡＩ  ＬｉｓｔとＯＬＤ ＴＡＩ  Ｌｉｓｔの有効性を確定できない可能性があり、即ち、ＭＭＥが当該ＵＥに割り当てたＮＥＷ ＴＡＩ  Ｌｉｓｔと、当該ＵＥの既存のＯＬＤ ＴＡＩ  Ｌｉｓｔ中のどちらが有効になるかを確定できないので、ＭＭＥがＵＥのＩＭＳＩを利用してＵＥをページングすると、どのＴＡの中にＵＥをページングするかを確定することができない。
【０００６】
また、ＭＭＥが再起動等の原因でＵＥの移動性管理コンテキストデータを有しておらず、或いは当該ＵＥの移動性管理コンテキストデータが破壊されることにより、ＭＭＥがＵＥのＴＡＩ  ＬＩＳＴを確定できない。従って、ＭＭＥがＵＥのＩＭＳＩを利用してＵＥをページングすると、どのＴＡの中にＵＥをページングするかを確定することができない。
【０００７】
Ｌｏｗｅｒ  Ｌａｙｅｒ  Ｆａｉｌｕｒｅ又はＭＭＥ再起動等のネットワークエラーを検出した場合、ＵＥはネットワークに接続されない可能性がある。この際、ＵＥを再度ネットワークに接続させるため、ＵＥに対してページングを行う必要がある。以上のように、前記ネットワークエラー回復処理過程において、ＭＭＥはＵＥのＩＭＳＩを利用して当該ＵＥをページングすると、当該ＵＥのＴＡＩ  Ｌｉｓｔを確定できない可能性があり、この際、ＭＭＥはどのＴＡの中に当該ＵＥをページングするかを確定することができない。
【課題を解決するための手段】
【０００８】
本発明の実施例は、ネットワークエラー回復処理過程において、ＭＭＥがＵＥのＩＭＳＩを利用して当該ＵＥをページングすると、どのＴＡの中に当該ＵＥをページングするかを確定できない従来技術の問題点を解決するように、ページング方法を提供している。
【０００９】
また、本発明の実施例は、ページング装置を提供している。
【００１０】
本発明の実施例に係る技術案は、以下の通りである。
【００１１】
国際移動加入者識別番号を利用してユーザー設備をページングすることを確定するステップと、ページングを行う前に、前記ユーザー設備のトラッキングエリア識別子リストが格納されていないと判断した場合、ローカルに接続された基地局によるサービスのトラッキングエリアにおいて、前記ユーザー設備をページングするステップと、を含むページング方法。
【００１２】
国際移動加入者識別番号を利用して前記ユーザー設備をページングするかどうかを確定するための確定ユニットと、確定ユニットにより国際移動加入者識別番号を利用して前記ユーザー設備をページングすることを確定した後、且つページングを行う前に、前記ユーザー設備のトラッキングエリア識別子リストが格納されているかどうかを判断するための判断ユニットと、判断ユニットによる判断結果が否定である場合、ローカルに接続された基地局によるサービスのトラッキングエリアにおいて、前記ユーザをページングするためのページングユニットとを備えるページング装置。
【００１３】
ユーザー設備に割り当てた新しいトラッキングエリア識別子リストを、前記ユーザー設備に下り送信するステップと、ネットワークエラーを検出した後、国際移動加入者識別番号を利用し、前記ユーザー設備の既存のトラッキングエリア識別子リストと前記ユーザー設備に割り当てた新しいトラッキングエリア識別子リストに含まれたトラッキングエリア識別子に対応するトラッキングエリアにおいて、前記ユーザー設備をページングするステップと、を含むページング方法。
【００１４】
ユーザー設備に割り当てた新しいトラッキングエリア識別子リストを、前記ユーザー設備に下り送信するための送信ユニットと、ネットワークエラーが発生したかどうかを検出するための検出ユニットと、検出ユニットによりネットワークエラーを検出した後、国際移動加入者識別番号を利用し、前記ユーザー設備の既存のトラッキングエリア識別子リストと前記ユーザー設備に割り当てた新しいトラッキングエリア識別子リストに含まれたトラッキングエリア識別子に対応するトラッキングエリアにおいて、前記ユーザー設備をページングするためのページングユニットと、を備えるページング装置。
【００１５】
本発明の実施例に係る技術案において、まず、ＩＭＳＩを利用して当該ＵＥをページングすることを確定し、ページングを行う前に、当該ＵＥのＴＡＩ  Ｌｉｓｔが格納されているかどうかを判断し、判断結果が否定である場合、ローカルに接続された基地局によるサービスのＴＡの中に当該ＵＥをページングすることにより、ネットワークエラー回復処理過程において、ＭＭＥがＩＭＳＩを利用してＵＥをページングすると、当該ＵＥのＴＡＩ  Ｌｉｓｔを格納しなくても、対応基地局に対してその自体によるサービスのＴＡにおける当該ＵＥをページングすることを指示することができ、従って、ＵＥがＭＭＥからのページングを受信した後、再度ネットワークに接続されることができるようになる。また、本発明の実施例に係る技術案において、ＵＥに割り当てたＮＥＷ ＴＡＩ  Ｌｉｓｔを当該ＵＥに下り送信し、ネットワークエラーを検出した後、ＩＭＳＩを利用して、当該ＵＥの既存のＯＬＤ ＴＡＩ  Ｌｉｓｔと当該ＵＥに割り当てたＮＥＷ ＴＡＩ  Ｌｉｓｔに含まれたＴＡＩに対応するＴＡの中に、当該ＵＥをページングすることにより、ネットワークエラー回復処理過程において、ＯＬＤ ＴＡＩ  ＬｉｓｔとＮＥＷ ＴＡＩ  Ｌｉｓｔの有効性を確定できなくても、対応基地局に対して、ＩＭＳＩを利用してＯＬＤ ＴＡＩ  ＬｉｓｔとＮＥＷ ＴＡＩ  Ｌｉｓｔに含まれたＴＡＩに対応するＴＡの中に当該ＵＥをページングすることを指示することができ、従って、ＵＥがＭＭＥからのページングを受信した後、再度ネットワークに接続されることができるようになる。
【図面の簡単な説明】
【００１６】
【図１】本発明の第１実施例において、ＵＥのＩＭＳＩを利用して当該ＵＥをページングする方法のフローを示す図である。
【図２】本発明の第１実施例において、ＵＥのＩＭＳＩを利用して当該ＵＥをページングする第１ページング方法の具体的な実施フローを示す図である。
【図３】本発明の第１実施例において、ＵＥのＩＭＳＩを利用して当該ＵＥをページングする第２ページング方法の具体的な実施フローを示す図である。
【図４】本発明の第１実施例において、ページング装置の構造を示す図である。
【図５】本発明の第２実施例において、ＵＥのＩＭＳＩを利用して当該ＵＥをページングする方法のフローを示す図である。
【図６】本発明の第２実施例において、ＵＥのＩＭＳＩを利用して当該ＵＥをページングするページング方法の具体的な実施フローを示す図である。
【図７】本発明の第２実施例において、ページング装置の構造を示す図である。
【発明を実施するための形態】
【００１７】
以下、各図面を参照しながら、本発明の実施例における技術案の主な実施原理、具体的な実施形態及び有益な効果を詳しく説明する。
【００１８】
本発明の実施例において、ＧＵＴＩ Ｒｅａｌｌｏｃａｔｉｏｎ Ｃｏｍｍａｎｄメッセージ又はＴＡＵ Ａｃｃｅｐｔメッセージに含まれたＧＵＴＩとＴＡＩ  Ｌｉｓｔの組み合わせは、以下のように、
ＯＬＤ ＧＵＴＩとＮＥＷ ＴＡＩ  Ｌｉｓｔを含み、即ち、ＭＭＥはＵＥに対してＮＥＷ ＧＵＴＩを割り当てず、ＮＥＷ ＴＡＩ  Ｌｉｓｔのみを割り当てた第１の組み合わせ方式と、
ＮＥＷ ＧＵＴＩを含み、即ち、ＭＭＥはＵＥに対してＮＥＷ ＴＡＩ  Ｌｉｓｔを割り当てず、ＮＥＷ ＧＵＴＩのみを割り当てた第２の組み合わせ方式と、
ＮＥＷ ＧＵＴＩとＮＥＷ ＴＡＩ  Ｌｉｓｔを含み、即ち、ＭＭＥはＵＥに対して同時にＮＥＷ ＧＵＴＩとＮＥＷ ＴＡＩ  Ｌｉｓｔを割り当てた第３の組み合わせ方式と
の３種類の組み合わせ方式であっても良い。
【００１９】
図１は、本発明の第１実施例において、ＵＥのＩＭＳＩを利用して当該ＵＥをページングする方法を示すフローチャートであり、その処理プロセスは以下の通りである。
【００２０】
ステップ１１において、ＵＥのＩＭＳＩを利用して当該ＵＥをページングすることを確定する。
【００２１】
ステップ１２において、ページングを行う前に、まず当該ＵＥのＴＡＩ  Ｌｉｓｔが格納されているかどうかを判断し、当該ＵＥのＴＡＩ  Ｌｉｓｔは、ＮＥＷ ＴＡＩ  Ｌｉｓｔ、又はＯＬＤ ＴＡＩ  Ｌｉｓｔ、又はＮＥＷ ＴＡＩ  ＬｉｓｔとＯＬＤ ＴＡＩ  Ｌｉｓｔの何れかであっても良い。
【００２２】
そのうち、本発明の第１実施例は、ＧＵＴＩ Ｒｅａｌｌｏｃａｔｉｏｎプロセス又はＴＡＵプロセスにあっても良いが、それに限られない。ＧＵＴＩ Ｒｅａｌｌｏｃａｔｉｏｎプロセス又はＴＡＵプロセスにおいて、ＵＥに割り当てたＮＥＷ ＧＵＴＩ及び／又はＮＥＷ ＴＡＩ  Ｌｉｓｔを当該ＵＥに下り送信した後、Ｌｏｗｅｒ  Ｌａｙｅｒ  Ｆａｉｌｕｒｅを検出した場合、ＵＥのＩＭＳＩを利用して当該ＵＥをページングし、そのうち、ＵＥに割り当てたＮＥＷ ＴＡＩ  Ｌｉｓｔ及び／又はＮＥＷ ＴＡＩ  Ｌｉｓｔを当該ＵＥに下り送信することは、以下の３種類の実施形態を有し、
第１実施形態は、前記第１の組み合わせ方式と対応し、具体的に、当該ＵＥの既存のＯＬＤ ＧＵＴＩと当該ＵＥに割り当てたＮＥＷ ＴＡＩ  Ｌｉｓｔを、ＧＵＴＩ Ｒｅａｌｌｏｃａｔｉｏｎ Ｃｏｍｍａｎｄメッセージ又はＴＡＵ Ａｃｃｅｐｔメッセージの中にカプセルし、当該ＵＥに下り送信することであり、
第２実施形態は、前記第２の組み合わせ方式と対応し、具体的に、当該ＵＥに割り当てたＮＥＷ ＧＵＴＩを、ＧＵＴＩ Ｒｅａｌｌｏｃａｔｉｏｎ Ｃｏｍｍａｎｄメッセージ又はＴＡＵ Ａｃｃｅｐｔメッセージの中にカプセルし、当該ＵＥに下り送信することであり、
第３実施形態は、前記第３の組み合わせ方式と対応し、具体的に、当該ＵＥに割り当てたＮＥＷ ＧＵＴＩと当該ＵＥに割り当てたＮＥＷ ＴＡＩ  Ｌｉｓｔを、ＧＵＴＩ Ｒｅａｌｌｏｃａｔｉｏｎ Ｃｏｍｍａｎｄメッセージ又はＴＡＵ Ａｃｃｅｐｔメッセージの中にカプセルし、当該ＵＥに下り送信することである。
【００２３】
ＧＵＴＩ Ｒｅａｌｌｏｃａｔｉｏｎ Ｃｏｍｍａｎｄメッセージを送信した後、ＵＥにより返答されたＧＵＴＩ Ｒｅａｌｌｏｃａｔｉｏｎ Ｃｏｍｐｌｅｔｅメッセージを受信したまでの期間内で、Ｌｏｗｅｒ  Ｌａｙｅｒ  Ｆａｉｌｕｒｅを検出した場合、ＵＥとネットワーク側の間のＮＡＳシグナリング接続を確立するように、当該ＵＥのＩＭＳＩを利用して当該ＵＥをページングすることが必要になる。ＴＡＵ Ａｃｃｅｐｔメッセージを送信した後、ＵＥにより返答されたＴＡＵ Ｃｏｍｐｌｅｔｅメッセージを受信したまでの期間内で、Ｌｏｗｅｒ  Ｌａｙｅｒ  Ｆａｉｌｕｒｅを検出し、且つ当該ＵＥのＯＬＤ ＧＵＴＩ又はＮＥＷ ＧＵＴＩを利用して当該ＵＥをページングした結果が全てページング失敗である場合、当該ＵＥのＩＭＳＩを利用して当該ＵＥをページングすることが必要になる。
【００２４】
ステップ１３において、当該ＵＥのＴＡＩ  Ｌｉｓｔが格納されていないと判断した場合、ローカルに接続された基地局によるサービスのＴＡにおける当該ＵＥをページングし、ここのローカルはＭＭＥであっても良い。
【００２５】
ＭＭＥが再起動などの原因でＵＥの移動性管理コンテキストデータを有しておらず、又は当該ＵＥの移動性管理コンテキストデータが破壊された場合、ＭＭＥが当該ＵＥのＴＡＩ  Ｌｉｓｔを格納していないと考えられる。
【００２６】
そのうち、接続された基地局によるサービスのＴＡにおける当該ＵＥをページングすることは、以下の２種類の実施形態を含んでも良いが、それに限られない。
【００２７】
第１実施形態：まずローカルに接続された各基地局へ送信しようとするＰａｇｉｎｇメッセージの中に、当該基地局自体によるサービスのＴＡにおけるページングを行なうことを指示するためのパラメータを挿入し、次に、前記パラメータを挿入したＰａｇｉｎｇメッセージを、ローカルに接続された各基地局へ送信し、そのうち、前記パラメータは、ＰａｇｉｎｇメッセージのＴＡＩ  Ｌｉｓｔフィールド又はＰａｇｉｎｇメッセージの新規追加フィールドの中に挿入されても良い。
【００２８】
第２実施形態：まず格納された基地局識別子とＴＡＩの対応関係において、ローカルに接続された基地局によるサービスのＴＡに対応するＴＡＩをそれぞれ確定し、次に、ローカルに接続された各基地局へ送信しようとするＰａｇｉｎｇメッセージの中に、確定された対応基地局によるサービスのＴＡに対応するＴＡＩを挿入し、ＴＡＩを挿入したＰａｇｉｎｇメッセージを、対応基地局へ送信する。
【００２９】
以下、更に具体的な実施形態を説明する。
【００３０】
ローカルに接続された基地局は基地局１と基地局２であり、そのうち、基地局１によるサービスのＴＡはＴＡ1とＴＡ２で、基地局２によるサービスのＴＡはＴＡ３とＴＡ４である場合、図２に示すように、図２は本発明の第１実施例において、ＵＥのＩＭＳＩを利用して当該ＵＥをページングする第１ページング方法の具体的な実施フローを示す図であり、その処理プロセスは以下の通りである。
【００３１】
ステップ２１において、ＵＥの既存のＯＬＤ ＧＵＴＩと当該ＵＥに割り当てたＮＥＷ ＴＡＩ  Ｌｉｓｔを、ＧＵＴＩ Ｒｅａｌｌｏｃａｔｉｏｎ Ｃｏｍｍａｎｄメッセージにカプセルし、当該ＵＥに下り送信し、
ステップ２２において、Ｌｏｗｅｒ  Ｌａｙｅｒ  Ｆａｉｌｕｒｅが発生したかどうかを検出し、
ステップ２３において、ステップ２２におけるＬｏｗｅｒ  Ｌａｙｅｒ  Ｆａｉｌｕｒｅを検出した場合、当該ＵＥの既存のＯＬＤ ＴＡＩ  Ｌｉｓｔ又は当該ＵＥに割り当てたＮＥＷ ＴＡＩ  Ｌｉｓｔが格納されているかどうかを判断し、
ステップ２４において、ステップ２３における当該ＵＥの既存のＯＬＤ ＴＡＩ  Ｌｉｓｔと当該ＵＥに割り当てたＮＥＷ ＴＡＩ  Ｌｉｓｔとの両方ともが格納されていないと判断した場合、接続された基地局１と基地局２へ送信しようとするＰａｇｉｎｇメッセージの中に所定のパラメータを挿入し、当該所定のパラメータは、基地局１と基地局２が当該Ｐａｇｉｎｇメッセージを受信した後、それぞれサービスのＴＡにおける当該ＵＥをページングすることを指示するためのものである。そのうち、当該所定のパラメータはＰａｇｉｎｇメッセージのＴＡＩ  Ｌｉｓｔフィールドの中に挿入されることができ、この際、当該所定のパラメータが０であっても良いし、例えばある文字又は数字などの特定な意味を持つパラメータであっても良い。また、当該所定のパラメータは、Ｐａｇｉｎｇメッセージの新規追加フィールドの中にも挿入されることができ、即ち、Ｐａｇｉｎｇメッセージの中に指示情報ユニットを新規追加し、
ステップ２５において、当該Ｐａｇｉｎｇメッセージを、ローカルに接続された基地局１と基地局２へそれぞれ送信し、基地局１が当該Ｐａｇｉｎｇメッセージを受信した後、Ｐａｇｉｎｇメッセージにおける所定のパラメータに基づき、Ｐａｇｉｎｇメッセージのユーザーページング識別子（ＵＥ Ｐａｇｉｎｇ Ｉｄｅｎｔｉｔｙ）フィールド中のＩＭＳＩを利用し、ＴＡ1とＴＡ２における当該ＵＥをページングし、基地局２が当該Ｐａｇｉｎｇメッセージを受信した後、Ｐａｇｉｎｇメッセージにおける所定のパラメータに基づき、ＰａｇｉｎｇメッセージのＵＥ Ｐａｇｉｎｇ Ｉｄｅｎｔｉｔｙフィールド中のＩＭＳＩを利用して、ＴＡ３とＴＡ４における当該ＵＥをページングする。
【００３２】
図３は、本発明の第１実施例において、ＵＥのＩＭＳＩを利用して当該ＵＥをページングする第２ページング方法の具体な実施フローを示す図であり、その処理プロセスは以下の通りである。
【００３３】
ステップ３１において、当該ＵＥの既存のＯＬＤ ＧＵＴＩとＵＥに割り当てたＮＥＷ ＴＡＩ  Ｌｉｓｔを、ＧＵＴＩ Ｒｅａｌｌｏｃａｔｉｏｎ Ｃｏｍｍａｎｄメッセージにカプセルし、当該ＵＥに下り送信し、
ステップ３２において、Ｌｏｗｅｒ  Ｌａｙｅｒ  Ｆａｉｌｕｒｅが発生したかどうかを検出し、
ステップ３３において、ステップ３２におけるＬｏｗｅｒ  Ｌａｙｅｒ  Ｆａｉｌｕｒｅを検出した場合、当該ＵＥの既存のＯＬＤ ＴＡＩ  Ｌｉｓｔ又は当該ＵＥに割り当てたＮＥＷ ＴＡＩ  Ｌｉｓｔが格納されているかどうかを判断し、
ステップ３４において、ステップ２３における当該ＵＥの既存のＯＬＤ ＴＡＩ  Ｌｉｓｔと当該ＵＥに割り当てたＮＥＷ ＴＡＩ  Ｌｉｓｔとの両方ともが格納されていないと判断した場合、格納された基地局識別子とＴＡＩの対応関係においては、基地局１によるサービスのＴＡがＴＡ1とＴＡ２で、且つ基地局２によるサービスのＴＡがＴＡ３とＴＡ４であることをそれぞれ確定し、
ステップ３５において、基地局１へ送信しようとするＰａｇｉｎｇメッセージのＴＡＩ  Ｌｉｓｔフィールドの中にＴＡ1とＴＡ２を挿入し、基地局２へ送信しようとするＰａｇｉｎｇメッセージのＴＡＩ  Ｌｉｓｔフィールドの中にＴＡ３とＴＡ４を挿入し、
ステップ３６において、前記送信待ちのＰａｇｉｎｇメッセージを、接続された基地局１と基地局２へそれぞれ送信し、基地局１がＰａｇｉｎｇメッセージを受信した後、ＰａｇｉｎｇメッセージのＴＡＩ  Ｌｉｓｔフィールド中のＴＡ1とＴＡ２に基づき、ＰａｇｉｎｇメッセージのＵＥ Ｐａｇｉｎｇ Ｉｄｅｎｔｉｔｙフィールド中のＩＭＳＩを利用し、ＴＡ1とＴＡ２における当該ＵＥをページングし、基地局２がＰａｇｉｎｇメッセージを受信した後、ＰａｇｉｎｇメッセージのＴＡＩ  Ｌｉｓｔフィールド中のＴＡ３とＴＡ４に基づき、ＰａｇｉｎｇメッセージのＵＥ Ｐａｇｉｎｇ Ｉｄｅｎｔｉｔｙフィールド中のＩＭＳＩを利用し、ＴＡ３とＴＡ４における当該ＵＥをページングする。
【００３４】
本発明の第１実施例に係る技術案において、まずＵＥのＩＭＳＩを利用して当該ＵＥをページングすることを確定し、ページングを行う前に、当該ＵＥのＴＡＩ  Ｌｉｓｔが格納されているかどうかを判断し、判断結果が否定である場合、ローカルに接続された基地局によるサービスのＴＡにおける当該ＵＥをページングし、ネットワークエラー回復処理過程において、ＭＭＥがＵＥのＩＭＳＩを利用して当該ＵＥをページングすると、当該ＵＥのＴＡＩ  Ｌｉｓｔを格納しなくても、対応基地局に対してその自体によるサービスのＴＡにおける当該ＵＥをページングすることを指示することができ、更にＵＥがＭＭＥからのページングを受信した後、再度ネットワークに接続されることができるようになる。
【００３５】
本発明の第１実施例は、図４に示すように、確定ユニット４１と、判断ユニット４２と、ページングユニット４３とを備えるページング装置を提供し、そのうち、
前記確定ユニット４１は、ＵＥのＩＭＳＩを利用して当該ＵＥをページングするかどうかを確定し、
前記判断ユニット４２は、確定ユニット４１により、ＵＥのＩＭＳＩを利用して当該ＵＥをページングすることを確定した後、ページングを行う前に、当該ＵＥのＴＡＩ  Ｌｉｓｔが格納されているかどうかを判断し、
前記ページングユニット４３は、判断ユニット４２による判断結果が否定である場合、ローカルに接続された基地局によるサービスのＴＡにおける当該ＵＥをページングする。
【００３６】
ページングユニット４３は、具体的に第１挿入サブユニットと、第１送信サブユニットとを備えることが好ましい。そのうち、前記第１挿入サブユニットは、ローカルに接続された各基地局へ送信しようとするＰａｇｉｎｇメッセージの中に、基地局に対してその自体によるサービスのＴＡにおけるページングを行うことを指示するためのパラメータを挿入し、前記第１送信サブユニットは、第１挿入サブユニット中の前記パラメータが挿入されたＰａｇｉｎｇメッセージを、接続された各基地局へ送信する。
【００３７】
ページングユニット４３は、具体的に、確定サブユニットと、第２挿入サブユニットと、第２送信サブユニットとを備えることが好ましい。そのうち、前記確定サブユニットは、ローカルに接続された基地局によるサービスのＴＡに対応するＴＡＩをそれぞれ確定し、前記第２挿入サブユニットは、ローカルに接続された各基地局へ送信しようとするＰａｇｉｎｇメッセージの中に、確定サブユニットにより確定された、且つ基地局によるサービスのＴＡに対応するＴＡＩを挿入し、前記第２送信サブユニットは、第２挿入サブユニット中のＴＡＩが挿入されたＰａｇｉｎｇメッセージを、対応基地局へ送信する。
【００３８】
図５は、本発明の第２実施例において、ＵＥのＩＭＳＩを利用して当該ＵＥをページングする方法を示すフローチャートであり、その処理プロセスは以下の通りである。
【００３９】
ステップ５１において、ＵＥに割り当てたＮＥＷ ＴＡＩ  Ｌｉｓｔを当該ＵＥに下り送信し、
そのうち、ＵＥに割り当てたＮＥＷ ＴＡＩ  Ｌｉｓｔを当該ＵＥに下り送信することは、以下の２種類の実施形態を有し、
第１実施形態は、ＧＵＴＩ Ｒｅａｌｌｏｃａｔｉｏｎ Ｃｏｍｍａｎｄメッセージ又はＴＡＵ Ａｃｃｅｐｔメッセージに含まれたＧＵＴＩとＴＡＩ  Ｌｉｓｔの第１の組み合わせ方式と対応し、具体的に、当該ＵＥの既存のＯＬＤ ＧＵＴＩと当該ＵＥに割り当てたＮＥＷ ＴＡＩ  Ｌｉｓｔを、ＧＵＴＩ Ｒｅａｌｌｏｃａｔｉｏｎ Ｃｏｍｍａｎｄメッセージ又はＴＡＵ Ａｃｃｅｐｔメッセージの中にカプセルし、当該ＵＥに下り送信することであり、
第２実施形態は、ＧＵＴＩ Ｒｅａｌｌｏｃａｔｉｏｎ Ｃｏｍｍａｎｄメッセージ又はＴＡＵ Ａｃｃｅｐｔメッセージに含まれたＧＵＴＩとＴＡＩ  Ｌｉｓｔの第３の組み合わせ方式と対応し、具体的に、当該ＵＥに割り当てたＮＥＷ ＧＵＴＩと当該ＵＥに割り当てたＮＥＷ ＴＡＩ  Ｌｉｓｔを、ＧＵＴＩ Ｒｅａｌｌｏｃａｔｉｏｎ Ｃｏｍｍａｎｄメッセージ又はＴＡＵ Ａｃｃｅｐｔメッセージの中にカプセルし、当該ＵＥに下り送信することである。
【００４０】
ステップ５２において、ネットワークエラーが発生したかどうかを検出し、
そのうち、ネットワークエラーはＬｏｗｅｒ  Ｌａｙｅｒ  Ｆａｉｌｕｒｅであっても良いが、それに限られない。ＧＵＴＩ Ｒｅａｌｌｏｃａｔｉｏｎ Ｃｏｍｍａｎｄメッセージを送信した後、ＵＥにより返答されたＧＵＴＩ Ｒｅａｌｌｏｃａｔｉｏｎ Ｃｏｍｐｌｅｔｅメッセージを受信するまでの期間内で、Ｌｏｗｅｒ  Ｌａｙｅｒ  Ｆａｉｌｕｒｅを検出した場合、ＵＥとネットワーク側の間のＮＡＳシグナリング接続を確立するように、当該ＵＥのＩＭＳＩを利用して当該ＵＥをページングすることが必要になる。ＴＡＵ Ａｃｃｅｐｔメッセージを送信した後、ＵＥにより返答されたＴＡＵ Ｃｏｍｐｌｅｔｅメッセージを受信するまでの期間内で、Ｌｏｗｅｒ  Ｌａｙｅｒ  Ｆａｉｌｕｒｅを検出し、且つ当該ＵＥのＯＬＤ ＧＵＴＩ又はＮＥＷ ＧＵＴＩを利用して当該ＵＥをページングした結果が全てページング失敗である場合、当該ＵＥのＩＭＳＩを利用して当該ＵＥをページングすることが必要になる。
【００４１】
ステップ５３において、ステップ５２におけるネットワークエラーを検出した場合、当該ＵＥのＩＭＳＩを利用し、当該ＵＥの既存のＯＬＤ ＴＡＩ  Ｌｉｓｔと当該ＵＥに割り当てたＮＥＷ ＴＡＩ  Ｌｉｓｔに含まれたＴＡＩに対応するＴＡにおいて、当該ＵＥをページングする。
【００４２】
そのうち、当該ＵＥの既存のＯＬＤ ＴＡＩ  Ｌｉｓｔと当該ＵＥに割り当てたＮＥＷ ＴＡＩ  Ｌｉｓｔに含まれたＴＡＩに対応するＴＡにおいて、当該ＵＥをページングすることは、以下のプロセスを含んでも良いが、それに限られない。
【００４３】
まず、基地局識別子とＴＡＩの対応関係において、当該ＵＥの既存のＯＬＤ ＴＡＩ  Ｌｉｓｔと当該ＵＥに割り当てたＮＥＷ ＴＡＩ  Ｌｉｓｔに含まれたＴＡＩに対応するＴＡの中で、対応基地局によるサービスのＴＡに対応するＴＡＩを確定し、次に、各対応基地局へ送信しようとするＰａｇｉｎｇメッセージの中に、ＴＡＩを挿入し、当該ＴＡＩは、当該ＵＥの既存のＯＬＤ ＴＡＩ  Ｌｉｓｔと当該ＵＥに割り当てたＮＥＷ ＴＡＩ  Ｌｉｓｔに含まれたＴＡＩに対応するＴＡの中で、対応基地局によるサービスのＴＡに対応する。そして、当該ＴＡＩが挿入されたＰａｇｉｎｇメッセージを対応基地局へ送信する。
【００４４】
以下、更に具体的な実施形態を説明する。
【００４５】
接続された基地局は基地局１と基地局２であり、そのうち、基地局１によるサービスのＴＡはＴＡ1とＴＡ２で、基地局２によるサービスのＴＡはＴＡ３とＴＡ４であり、ＵＥの既存のＯＬＤ ＴＡＩ  Ｌｉｓｔに含まれたＴＡＩはＴＡ1で、当該ＵＥに割り当てたＮＥＷ ＴＡＩ  Ｌｉｓｔに含まれたＴＡＩはＴＡ３である場合、図６に示すように、図６は、本発明の第２実施例において、ＵＥのＩＭＳＩを利用して当該ＵＥをページングする方法の具体な実施フローを示す図であり、その処理プロセスは以下の通りである。
【００４６】
ステップ６１において、ＵＥの既存のＯＬＤ ＧＵＴＩと当該ＵＥに割り当てたＮＥＷ ＴＡＩ  Ｌｉｓｔを、ＧＵＴＩ Ｒｅａｌｌｏｃａｔｉｏｎ Ｃｏｍｍａｎｄメッセージの中にカプセルし、当該ＵＥに下り送信し、
ステップ６２において、Ｌｏｗｅｒ  Ｌａｙｅｒ  Ｆａｉｌｕｒｅが発生したかどうかを検出し、
ステップ６３において、ステップ６２におけるＬｏｗｅｒ  Ｌａｙｅｒ  Ｆａｉｌｕｒｅを検出した場合、格納された基地局識別子とＴＡＩとの対応関係において、当該ＵＥの既存のＯＬＤ ＴＡＩ  Ｌｉｓｔと当該ＵＥに割り当てたＮＥＷ ＴＡＩ  Ｌｉｓｔに含まれたＴＡＩに対応するＴＡの中で、基地局１によるサービスのＴＡがＴＡ１であること、又は基地局２によるサービスのＴＡがＴＡ３であることをそれぞれ確定し、
ステップ６４において、基地局１へ送信しようとするＰａｇｉｎｇメッセージのＴＡＩ  Ｌｉｓｔフィールドの中にＴＡ１を挿入し、基地局２へ送信しようとするＰａｇｉｎｇメッセージのＴＡＩ  Ｌｉｓｔフィールドの中にＴＡ３を挿入し、
ステップ６５において、前記送信待ちのＰａｇｉｎｇメッセージを、接続された基地局１と基地局２へそれぞれ送信し、基地局１がＰａｇｉｎｇメッセージを受信した後、ＰａｇｉｎｇメッセージのＴＡＩ  Ｌｉｓｔフィールド中のＴＡ1に基づき、ＰａｇｉｎｇメッセージのＵＥ Ｐａｇｉｎｇ Ｉｄｅｎｔｉｔｙフィールド中のＩＭＳＩを利用し、ＴＡ1の中に当該ＵＥをページングし、基地局２がＰａｇｉｎｇメッセージを受信した後、ＰａｇｉｎｇメッセージのＴＡＩ  Ｌｉｓｔフィールド中のＴＡ３に基づき、ＰａｇｉｎｇメッセージのＵＥ Ｐａｇｉｎｇ Ｉｄｅｎｔｉｔｙフィールド中のＩＭＳＩを利用し、ＴＡ３の中に当該ＵＥをページングする。
【００４７】
また、ＧＵＴＩ Ｒｅａｌｌｏｃａｔｉｏｎ Ｃｏｍｍａｎｄメッセージ又はＴＡＵ Ａｃｃｅｐｔメッセージに含まれたＧＵＴＩとＴＡＩ  Ｌｉｓｔの第２の組み合わせ方式、即ち、当該ＵＥにＮＥＷ ＴＡＩ  Ｌｉｓｔを割り当てず、当該ＵＥの既存のＯＬＤ ＴＡＩ  Ｌｉｓｔのみが格納されている場合に対して、ＧＵＴＩ Ｒｅａｌｌｏｃａｔｉｏｎ Ｃｏｍｍａｎｄメッセージを送信した後、ＵＥにより返答されたＧＵＴＩ Ｒｅａｌｌｏｃａｔｉｏｎ Ｃｏｍｐｌｅｔｅメッセージを受信するまでの期間内で、Ｌｏｗｅｒ  Ｌａｙｅｒ  Ｆａｉｌｕｒｅを検出した場合、ＵＥとネットワーク側の間のＮＡＳシグナリング接続を確立するように、当該ＵＥのＩＭＳＩを利用して、ＯＬＤ ＴＡＩ  Ｌｉｓｔに含まれたＴＡＩに対応するＴＡの中に当該ＵＥをページングすることが必要になる。ＴＡＵ Ａｃｃｅｐｔメッセージを送信した後、ＵＥにより返答されたＴＡＵ Ｃｏｍｐｌｅｔｅメッセージを受信するまでの期間内で、Ｌｏｗｅｒ  Ｌａｙｅｒ  Ｆａｉｌｕｒｅを検出し、且つ当該ＵＥのＯＬＤ ＧＵＴＩ又はＮＥＷ ＧＵＴＩを利用して当該ＵＥをページングした結果が全てページング失敗である場合、当該ＵＥのＩＭＳＩを利用して、ＯＬＤ ＴＡＩ  Ｌｉｓｔに含まれたＴＡＩに対応するＴＡの中に、当該ＵＥをページングすることが必要になる。
【００４８】
本発明の第２実施例に係る技術案において、ＵＥに割り当てたＮＥＷ ＴＡＩ  Ｌｉｓｔを当該ＵＥに下り送信し、Ｌｏｗｅｒ  Ｌａｙｅｒ  Ｆａｉｌｕｒｅを検出した後、当該ＵＥのＩＭＳＩを利用して、当該ＵＥの既存のＯＬＤ ＴＡＩ  Ｌｉｓｔと当該ＵＥに割り当てたＮＥＷ ＴＡＩ  Ｌｉｓｔに含まれたＴＡＩに対応するＴＡにおいて、当該ＵＥをページングし、ＭＭＥがＵＥのＩＭＳＩを利用して当該ＵＥをページングする際、当該ＵＥのＴＡＩ  Ｌｉｓｔを確定することができない場合も、対応基地局がどのＴＡの中に当該ＵＥをページングすることを指示できるようになり、更に、ＵＥがＭＭＥからのページングを受信した後、再度ネットワークに接続されることができるようになる。
【００４９】
本発明の第２実施例は、図７に示すように、送信ユニット７１と、検出ユニット７２と、ページングユニット７３とを備えるページング装置を更に提供し、そのうち、
前記送信ユニット７１は、ＵＥに割り当てたＮＥＷ ＴＡＩ  Ｌｉｓｔを当該ＵＥに下り送信し、
前記検出ユニット７２は、ネットワークエラーが発生したかどうかを検出し、
前記ページングユニット７３は、検出ユニット７２によりネットワークエラーを検出した後、当該ＵＥのＩＭＳＩを利用して、当該ＵＥの既存のＯＬＤ ＴＡＩ  Ｌｉｓｔと当該ＵＥに割り当てたＮＥＷ ＴＡＩ  Ｌｉｓｔに含まれたＴＡＩに対応するＴＡの中に、当該ＵＥをページングする。
【００５０】
ページングユニット７３は、具体的に、確定サブユニットと、挿入サブユニットと、送信サブユニットとを備えることが好ましい。そのうち、前記確定サブユニットは、当該ＵＥの既存のＯＬＤ ＴＡＩ  Ｌｉｓｔと当該ＵＥに割り当てたＮＥＷ ＴＡＩ  Ｌｉｓｔに含まれたＴＡＩに対応するＴＡの中で、対応基地局によるサービスのＴＡに対応するＴＡＩを確定し、前記挿入サブユニットは、各対応基地局へ送信しようとするＰａｇｉｎｇメッセージの中にＴＡＩを挿入し、前記ＴＡＩは、当該ＵＥの既存のＯＬＤ ＴＡＩ  Ｌｉｓｔと当該ＵＥに割り当てたＮＥＷ ＴＡＩ  Ｌｉｓｔに含まれたＴＡＩに対応するＴＡの中で、当該基地局によるサービスのＴＡと対応し、前記送信サブユニットは、挿入サブユニットによりＴＡＩを挿入したＰａｇｉｎｇメッセージを、対応基地局へ送信する。
【００５１】
上述した実施例は、本発明を説明するためのものであるが、本発明を限定するものではない。本発明も前記実施例に限定されるものではない。本発明の要旨と範囲を一切逸脱しない技術案及びその改良は、本発明の保護範囲内に含まれることが当然である。
【図１】
0005198667.tif 000002
【図２】
0005198667.tif 000003
【図３】
0005198667.tif 000004
【図４】
0005198667.tif 000005
【図５】
0005198667.tif 000006
【図６】
0005198667.tif 000007
【図７】
0005198667.tif 000008